(57)【要約】【課題】スリットが撓み難くて、針を確実かつ迅速に外すことができる注射針等の回収容器を提供する。【解決手段】上面に開口部を開設した容器本体と；該開口部に嵌着して容器本体に一体的に固定され、大きな挿入口と、該挿入口に開放する複数の取外し用のスリットを形成した外し片を設けた針取外し投入用口部材と；から成り、上記スリットの周縁の上記外し片を肉厚として撓み難くした。【選択図】        図３
2006204574.tif 000002
【特許請求の範囲】
【請求項１】
上面に開口部を開設した容器本体と；該開口部に嵌着して容器本体に一体的に固定され、大きな挿入口と、該挿入口に開放する複数の取外し用のスリットを形成した外し片を設けた針取外し投入用口部材と；から成り、上記スリットの周縁の上記外し片を肉厚として撓み難くしたことを特徴とする注射針等の回収容器。
【請求項２】
複数の上記スリット間の上記外し片に補強リブを形成して、撓み難くしたことを特徴とする請求項１に記載の注射針等の回収容器。
【請求項３】
上記スリットが、テーパー状スリットおよび／または平行スリットであることを特徴とする請求項１または２に記載の注射針等の回収容器。
【発明の詳細な説明】
【技術分野】
【０００１】
本発明は、使用済みの注射針や採血針などを回収するための、注射針等の回収容器に関するものである。
【背景技術】
【０００２】
従来、この種の回収容器としては、中空容器の上板に、注射針を挿入することができ、かつ、注射針の挿入後、注射器を横に移動させて一端に当て、引き上げると、注射針の後端つば部の一部が上板の下面に当たることができる形状の注射針分離孔を穿設したものがあった。（例えば、特許文献１参照）
また従来、空のペットボトルの口筒にキャップをねじ込み、該キャップに注射針や採血管針の挿入用貫通孔を形成し、この貫通孔の周縁からキャップの外周方向に注射針等の接続口筒が嵌入して係合する切欠きを設けたものがあった。（例えば、特許文献２参照）
【０００３】
しかしながら、上記注射針分離孔を穿設したものは、注射針の注射針分離孔が小さくて挿入し難いだけでなく、各種形状および寸法の複数の注射針や採血針に対応できず、容器の高さに比べて底面が小さすぎて転倒し易く、孔から針が出たり液が漏れるなどの問題があった。
また、上記ペットボトルを利用するキャップ式のものも、挿入用貫通孔が小さかったり、各種形状および寸法の複数の注射針や採血針に対応できず、また転倒し易くて、同様の問題点があった。
【特許文献１】登録実用新案公報第３０３９４９８号
【特許文献２】特開２００２−３０６５４８号公報
【発明の開示】
【発明が解決しようとする課題】
【０００４】
本発明が解決しようとする課題は、上記従来の問題点を解消して、各種の注射針や採血針に対応でき、確実かつ迅速に外すことができる注射針等の回収容器を提供することにある。
【課題を解決するための手段】
【０００５】
本発明は、上面に開口部を開設した容器本体と；該開口部に嵌着して容器本体に一体的に固定され、大きな挿入口と、該挿入口に開放する複数の取外し用のスリットを形成した外し片を設けた針取外し投入用口部材と；から成り、上記スリットの周縁の上記外し片を肉厚として撓み難くしたことを特徴とする。また、複数の上記スリット間の上記外し片に補強リブを形成して、撓み難くしたことを特徴とする。さらに、上記スリットが、テーパー状スリットおよび／または平行スリットであることを特徴とする。
【発明の効果】
【０００６】
本発明の注射針等の回収容器は、次のような効果がある。
１）注射針等の挿入口が大きくて容易にかつ迅速に挿入できる。
２）各種の形状と寸法の複数の針に対応できる取外しスリットを有する。
３）スリットが撓み難くて、針を確実かつ迅速に外すことができる。
【発明を実施するための最良の形態】
【０００７】
図１において、１は合成樹脂製の容器本体であって、その高さ寸法に比べて十分な底面積を有し、通常の使用態様では転倒しない形状・寸法となっている。該容器本体１の上面には、図２（Ａ）から明らかなように、開口部１ａが開設されている。また、該容器本体１の上面のコーナー部には、複数の嵌合突起１ｂが突設されていて、容器本体１を積み重ねた時、上部の容器本体の底面の当該位置に形成された嵌合凹部（図示せず）と嵌合して、一体的に重ね合わせることが可能となっている。
【０００８】
２は、上記開口部１ａに嵌着して容器本体１に一体的に固定される針取外し投入用口部材であって、キャップ３と取っ手４を一体に取り付けている。
【０００９】
上記針取外し投入用口部材２は、図２（Ｂ）からも明らかなように、上記容器本体１の開口部１ａ内に差し込まれる環状部２ａと、該環状部２ａの上端縁から水平外方向に形成されるフランジ部２ｂと、上記環状部２ａの下端縁一部から水平内方向に形成される外し片２ｃから構成されている。２ｄは開口であり、上記容器本体１の開口部１ａ内に位置し、注射針等の挿入口となっており、十分な大きさを有する。
【００１０】
図３に示すように、上記外し片２ｃには、２つのテーパー状スリット２ｃ−１と１つの平行スリット２ｃ−２が形成されている。これらスリットの形状および数は、これに限定するものではない。該テーパー状スリット２ｃ−１は、上記開口２ｄから外し片２ｃの外方に放射状に向けて窄まる形状（テーパー）となっていて、注射器の口筒を差し込むようになっている。また、上記平行スリット２ｃ−２には、注射針のねじ込み式バブを差し込んで注射器を回転させ、ネジを緩めるようになっている。特に、該平行スリット２ｃ−２の周縁は、補強リブ２ｃ−２′により補強されている。
【００１１】
上記テーパー状スリット２ｃ−１は、針ハブが下側になるように注射器の口筒を差し込むことができるように、薄くなっていなければならない。しかし、本容器を合成樹脂で成形したり、複数の外しスリットを形成する必要上、また、上記開口２ｂを広く形成する必要上、上記外し片２ｃは長い端縁に形成されている。そのために、この外しスリットに針ハブを掛けて引っ張って、針を外そうとすると、上記外し片２ｃは撓んでしまい、その結果、特にテーパー状スリット２ｃ−１などは広がってしまって、上記針ハブが簡単に抜けてしまう。このような不都合を防止するために、上記テーパー状スリット２ｃ−１の縁からやや離れた周縁は、図２（Ｃ）に示すように、肉厚部２ｃ′とし、さらに、スリット間に補強リブ２ｃ″を形成して、外し片２ｃが撓まないように補強する。
【００１２】
上記フランジ部２ｂには、可撓接続片３ａを介して上記キャップ３が一体的に接続されている。該キャップ３は、図４に示すように、上記環状部２ａに嵌合して開口部１ａを密閉するようになっている。
【００１３】
また、上記フランジ部２ｂには、接続片４ａを介して上記取っ手４が一体的に取り付けられていて、図５に示すように、これを立ち上げて、容器本体１を持ち運ぶ際の取っ手とする。
【図面の簡単な説明】
【００１４】
【図１】本発明の容器の一実施例を示す外観説明図である。
【図２】図１の容器本体を示す外観図（Ａ）および投入部材等の外観図（Ｂ）である。
【図３】図１の投入部材の平面図（Ａ）、そのイ−イ拡大断面（Ｂ）およびロ−ロ拡大断面図（Ｃ）である。
【図４】開口部をキャップにより密閉した状態の外観図である。
【図５】取っ手を立ち上げた状態の外観図である。
【符号の説明】
【００１５】
１    容器本体
１ａ  開口部
１ｂ  嵌合突起
２    針取外し投入用口部材
２ａ  環状部
２ｂ  開口
２ｃ  外し片
２ｃ−１  テーパー状スリット
２ｃ−２  平行スリット
２ｃ−２′補強リブ
２ｃ′肉厚部２ｃ′
２ｃ″  補強リブ
２ｄ  開口
３    キャップ
３ａ  可撓接続片
４    取っ手
４ａ  接続片
【図１】
2006204574.tif 000003
【図２】
2006204574.tif 000004
【図３】
2006204574.tif 000005
【図４】
2006204574.tif 000006
【図５】
2006204574.tif 000007